(57)【特許請求の範囲】
【請求項１】
端末が回線を介してセンタに接続され、端末からのサービス要求に応じたサービスの提供を行う情報管理装置において、
利用者コードに対応づけて利用できるサービスを予め登録する利用者マスタと、
利用者が操作する端末から回線を介した接続要求があったときに、接続要求してきた回線の種別が特定の回線種別であった場合、そのまま回線接続を行い、一方、公衆回線の場合には、電話番号および該端末から通知されたパスワードが予め登録されているものであるかチェックし、予め登録されているものであれば回線接続し、予め登録されているものでなければ回線接続を拒否する接続資格チェック手段と、
前記接続資格チェック手段により回線接続した前記端末からのサービス要求に応じて、前記端末から通知された利用者コードをもとに前記利用者マスタを検索して利用できるサービスとして設定されていたサービスへの要求と判明した場合にデータベースを検索して要求のあったサービス情報を返信させ、一方、利用できるサービスとして設定されていなかったサービスへの要求と判明した場合にサービスの提供を拒否するサービス利用資格チェック手段と
を備えたことを特徴とする情報管理装置。
【発明の詳細な説明】
【０００１】
【産業上の利用分野】
本発明は、回線を介してセンタに接続してサービスの提供を管理する情報管理装置に関するものである。
【０００２】
【従来の技術】
従来、利用者が回線を介してデータベースに接続して検索などしようとする場合、回線種別に係わらず常にパスワードなどを用いて当該利用者の回線接続チェックを行い、ＯＫとなったときに回線接続するようにしていた。
【０００３】
また、利用できるサービスが複数ある場合、サービス毎に利用者コードが登録されているか否かをチェックして利用資格を判定し、利用資格ありと判明したときにのみ当該サービスの提供を受けることができるようにしていた。
【０００４】
【発明が解決しようとする課題】
上述したように、従来は回線の種別に係わらず常にパスワードなどをチェックしてＯＫとなったときに回線接続していたため、ＬＡＮ（構内交換網）や専用回線のように予め定められた利用者のみしか利用できない回線であっても、他の公衆回線からの回線接続要求と同一に常にパスワードなどをチェックする処理を行い、無駄な処理を行ってしまい回線接続が遅くなったり、オーバーヘッドが発生してしまうという問題があった。
【０００５】
また、回線接続した後、サービスが複数ある場合、サービス毎に利用できる利用者コードを決めていたため、利用者がサービスを利用しようとすると、そのサービス毎に当該利用者を登録するという面倒な操作が要求されてしまい、簡単な操作では利用できないという問題があった。
【０００６】
本発明は、これらの問題を解決するため、回線種別を判別してチェック不要の回線と判明したときに即回線接続し、チェック要の回線と判明したときにチェックを行ってＯＫのときに回線接続し、サービスが複数あるときに利用者コード毎にサービスの提供可否を設定し、無駄な回線チェック処理を無くすと共に利用者毎に利用できるサービスを簡易に設定・管理可能にすることを目的としている。
【０００７】
【課題を解決するための手段】
図１は、本発明の原理ブロック図を示す。
図１において、センタ１は、データベース６を管理し、端末８からのサービス要求に対応して接続資格チェックおよびサービス利用資格チェックをしてＯＫのときにデータベース６を検索して該当する情報を返信するものであって、管理装置２、データベース６、およびサービスプロセス７から構成されるものである。
【０００８】
管理装置２は、接続資格チェックおよびサービス利用資格チェックをするものであって、接続資格チェック手段３、サービス利用資格チェック手段４および利用者マスタ５から構成されるものである。
【０００９】
接続資格チェック手段３は、接続要求のあった回線の種別を判別し、この判別した回線種別が所定の回線種別のときにそのまま回線接続し、一方、それ以外の回線種別のときに、接続要求時に受信したパスワードおよび回線番号をチェックしてＯＫのときに回線接続し、ＮＧのときに回線接続しないものである。
【００１０】
サービス利用資格チェック手段４は、サービス要求のあった利用者コードをもとに利用者マスタ５を検索して利用できるサービスとして設定されていたサービスへの要求と判明した場合にデータベース６を検索して要求のあったサービスの情報を返信し、一方、利用できるサービスとして設定されていなかったサービスへの要求と判明した場合にサービスの提供を拒否するものである。
【００１１】
利用者マスタ５は、利用者のサービス利用資格を予め設定するものである。
データベース６は、各種情報を検索し易く登録したものである。
サービスプロセス７は、データベース６を検索して各種情報を利用者に提供するものである。
【００１２】
端末８は、回線を介して接続して情報の提供を要求するためのものである。
【００１３】
【作用】
本発明は、図１に示すように、端末８から回線を介した接続要求に対応して、接続資格チェック手段３が接続要求のあった回線の種別を判別し、この判別した回線種別が所定の回線種別のときにそのまま回線接続し、一方、それ以外の回線種別のときに、接続要求時に受信したパスワードおよび回線番号をチェックしてＯＫのときに回線接続し、ＮＧのときに回線接続しないようにしている。
【００１４】
また、端末８から回線を介したサービス要求に対応して、サービス利用資格チェック手段４がサービス要求のあった利用者コードをもとに利用者マスタ５を検索して利用できるサービスとして設定されていたサービスへの要求と判明した場合に、サービスプロセス７にデータベース６を検索して要求のあったサービスの情報を返信させ、一方、利用できるサービスとして設定されていなかったサービスへの要求と判明した場合にサービスの提供を拒否するようにしている。
【００１５】
従って、回線種別を判別してチェック不要の回線と判明したときに即回線接続し、チェック要の回線と判明したときにチェックを行ってＯＫのときに回線接続したり、サービスが複数あるときに利用者コード毎にサービスの提供可否を利用者マスタ５に設定してチェックすることにより、無駄な回線チェック処理を無くすと共に利用者毎に利用できるサービスを簡易に設定してチェックすることが可能となる。
【００１６】
【実施例】
次に、図２から図５を用いて本発明の実施例の構成および動作を順次詳細に説明する。
【００１７】
図２は、本発明の資格チェックフローチャートを示す。
図２において、Ｓ１は、接続要求する。これは、ユーザが図１の端末８のキーボードを操作し、センタ１のデータベース６を検索してサービスの提供を要求するために回線の接続要求を行う。
【００１８】
Ｓ２は、接続資格のチェックを行う。これは、Ｓ１で回線を介して接続要求を受けたセンタ１が回線接続の資格をチェックする。この際、ここでは、センタ１に接続した回線の種別が特定の回線であった場合、例えば専用回線やＬＡＮ（企業内回線）の場合には、当該専用回線やＬＡＮを使っていることから、回線接続の資格があると判明したので、即回線接続する。一方、それ以外の回線、例えば公衆回線の場合には不特定の利用者から回線接続要求がくるので、パスワードなどが予め登録されているものであるかチェックし、ＯＫのときに回線接続し、ＮＧの場合に回線接続を拒否する。
【００１９】
Ｓ３は、サービス要求する。これは、Ｓ２の接続資格のチェックでＯＫの応答を受けた端末８の利用者が次に、サービス要求を行う。これは、キーワードを指定した特定の情報やプログラムの提供を要求したり、あるいはそのリストを要求して表示されたリストから選択してサービス要求を回線を介してセンタ１に通知したりする。
【００２０】
Ｓ４は、サービス利用資格のチェックを行う。これは、利用者からサービス要求を受け付けたセンタ１がサービス要求のあったサービスを利用する資格があるか、後述する図５の利用者マスタ５を参照してチェックし、サービス利用資格が有りと判明したときに、データベース６を検索して該当する情報やプログラムを取り出し、回線を介して端末８に返信し、サービスを提供する。一方、利用者マスタ６を参照してチェックし、サービス利用資格が無いと判明したときは、サービスの提供を拒否する。
【００２１】
以上によって、利用者が端末８から回線接続要求した場合に、センタ１で回線種別をチェックして予め定めた回線の場合には即回線接続し、それ以外の回線種別の場合にはパスワード、回線番号などをチェックしてＯＫのときに回線接続し、ＮＧのときに回線接続を拒否する。そして、回線接続した後、利用者が端末８から介してサービス要求をセンタ１に通知した場合、センタ１は利用者マスタ５を参照してサービス要求のあったサービスの利用資格があるかチェックし、ＯＫと判明したときにデータベース６から情報やプログラムを取り出して回線を介して端末８に返信してサービスを提供する。一方、利用資格があるかチェックし、ＮＧと判明したときにサービスの提供を拒否する。これらにより、専用回線やＬＡＮなどの予め設定した回線種別のときに即回線接続し、不要な回線接続チェックを無くし、処理量を少なくして回線接続を迅速に行うことを可能にすると共に、複数のサービスがあっても利用者マスタ５に利用者コードに対応づけて各サービスの利用資格の有無を設定するという簡単な操作で任意に極め細かく設定が可能となった。以下図２から図５を用いて順次詳細に説明する。
【００２２】
図３は、本発明の接続資格チェックフローチャートを示す。これは、図２のＳ２の回線接続の詳細な手順を説明したものである。
図３において、Ｓ１１は、利用者が端末８を操作して接続要求を回線を介してセンタ１に通知する。
【００２３】
Ｓ１２は、回線の種別を判別する。これは、Ｓ１１で回線を介して通知された接続要求を受信したセンタ１がその回線の種別が特定の回線の種別、例えばＬＡＮまたは専用回線の種別と判別した場合、当該特定の回線は企業内や予め契約した特定の利用者しか利用できないので、回線接続する資格があると判定し、回線接続資格チェックすることなく、即Ｓ１５の回線接続する。一方、ＬＡＮや専用回線の種別でない他の回線の種別、例えば不特定多数が利用する公衆回線と判明した場合には、Ｓ１３で端末８から通知されたパスワードチェックを行い、パスしたときにＳ１４で受け付けた回線番号が予め登録されているものかチェックしてＯＫのときに回線接続資格が有りと判別し、Ｓ１５に進む。一方、パスワードチェックあるいは回線番号チェックのいずれかでＮＧとなった場合には、回線接続を拒否する旨を端末８に回線を介して返答し、回線接続しない。
【００２４】
Ｓ１５は、回線種別がＬＡＮや専用回線の場合には即、公衆回線の場合にはパスワードチェックおよび回線番号チェックでＯＫとなったので、回線を接続し、端末８とセンタ１との間で通信できるように回線接続する。
【００２５】
Ｓ１６は、センタ１が回線接続した状態を端末８に応答する。
Ｓ１７は、Ｓ１６の応答に対応して、端末８上に使用可となった旨をディスプレイ上に表示する。これに続いて、後述する図４のフローチャートに従って、サービス要求や検索要求を行う。
【００２６】
以上によって、端末８から回線を介して接続要求をセンタ１に通知した場合、センタ１は受信した回線種別が予め定めた特定の回線（例えばＬＡＮや専用回線）と判明した場合、即回線接続し、一方、特定の回線でない場合（例えば公衆回線）にはパスワードチェック、回線番号チェックをしてＯＫとなったときに回線接続する。これにより、特定の回線であるＬＡＮや専用回線の場合には重複した無駄な回線接続チェックを無くし、オーバーヘッドを削減すると共に迅速に回線接続することが可能となった。
【００２７】
図４は、本発明のサービス利用資格チェックフローチャートを示す。これは、図２のＳ４のサービス利用資格チェックの詳細な手順を説明したものである。
図４において、Ｓ２１は、利用者が端末８を操作してサービス要求依頼を回線を介してセンタ１に通知する。これは、既述した図３の回線の接続資格チェックでＯＫとなって回線接続した後、利用者が端末８を操作して、ここでは、データベース検索、および利用者コードを入力して回線を介してセンタ１に通知する。
【００２８】
Ｓ２２は、Ｓ２１の通知を受け付けたセンタ１が利用者コードによる利用者マスタ５の利用サービスの検索を行う。これは、後述する図５の利用者マスタ５を検索し、利用者コードをもとに利用サービスの欄の設定されているサービスの利用資格を読み出す。
【００２９】
Ｓ２３は、利用資格ありか判別する。これは、Ｓ２２で利用者マスタ５から読み出した利用者コードの利用サービスに、これから検索しようとするデータベース検索が含まれていて利用資格があるか判別する。ＹＥＳの場合には、Ｓ２４からＳ２８でサービスを提供する。一方、ＮＯの場合には、データベース検索しようとする対象について、利用資格が無いと判明したので、Ｓ２９で警告メッセージを返信し、Ｓ３０で端末８のディスプレイ上に警告表示して利用者に利用資格が無い旨を表示して知らせる。
【００３０】
Ｓ２４は、Ｓ２３のＹＥＳで利用資格有りと判別されたので、サービス提供可の旨を回線を介して端末８に通知する。
Ｓ２５は、Ｓ２４でサービス提供可の通知を受けた端末８がサービス利用可能な状態となる。
【００３１】
Ｓ２６は、利用者が端末８を操作してサービス要求する。
Ｓ２７は、サービス提供する。これは、Ｓ２６のサービス要求を回線を介して受け付けたセンタ１がデータベース６を検索して該当する情報やプログラムを取り出し、回線を介して端末８に返信する。
【００３２】
Ｓ２８は、返信を受けたその情報やプログラムを利用してサービスを享受する。
以上によって、端末８とセンタ１とが回線接続状態のもとで、端末８から回線を介してサービス要求をセンタ１に通知し、センタ１が利用者コードをもとに図５の利用者マスタ５を参照してサービス利用資格有りと判明した場合、データベース６から該当する情報やプログラムを検索して取り出し回線を介して端末８に返信し、端末８がこの情報やプログラムを利用してサービスの提供を受けることが可能となる。この際、サービスが複数ある場合に、利用者マスタ５に利用者コードに対応づけてサービスの利用資格の有無を設定しておき、端末８からサービス要求があったときにこの利用者マスタ５を参照して利用資格有りのときにサービス提供し、無のときにサービス提供を拒絶しているため、利用者毎にサービスの利用資格の有無を任意かつ簡易に設定することが可能となった。
【００３３】
図５は、本発明の利用者マスタ例を示す。これは、利用者コード（利用者ＩＤ）に対応づけて図示の下記の項目を任意に予め設定するものである。
0003685504.tif 000002
【００３４】
【発明の効果】
以上説明したように、本発明によれば、回線種別を判別してチェック不要の回線と判明したときに即回線接続し、チェック要の回線と判明したときにチェックを行ってＯＫのときに回線接続したり、サービスが複数あるときに利用者コード毎にサービスの提供可否を利用者マスタ５に設定してチェックする構成を採用しているため、無駄な回線チェック処理を無くすと共に利用者毎に利用できるサービスを簡易に設定してチェックすることができるようになった。
【図面の簡単な説明】
【図１】本発明の原理ブロック図である。
【図２】本発明の資格チェックフローチャートである。
【図３】本発明の接続資格チェックフローチャートである。
【図４】本発明のサービス利用資格チェックフローチャートである。
【図５】本発明の利用者マスタ例である。
【符号の説明】
１：センタ
２：管理装置
３：接続資格チェック手段
４：サービス利用資格チェック手段
５：利用者マスタ
６：データベース
７：サービスプロセス
８：端末
【図１】
0003685504.tif 000003
【図２】
0003685504.tif 000004
【図３】
0003685504.tif 000005
【図４】
0003685504.tif 000006
【図５】
0003685504.tif 000007